(57)【要約】【課題】透過光方式による対象画像の観察時において、観察対象である対象画像の画像濃度が、実際の対象画像の濃度よりも低く観察されてしまうことを抑制することができる印画物を提供すること。【解決手段】透過光によって対象画像を観察可能な透過型印画物１００であって、透明基材１０の一方の面に、対象画像２０が形成され、透明基材１０の他方の面に、対象画像の画像濃度を向上させるための濃度補強画像３０が形成され、濃度補強画像は、厚み方向において、対象画像２０の全部ではなく一部と重なり、濃度補強画像３０と、当該濃度補強画像３０と厚み方向で重なる位置に対応する対象画像２０とが、同系色の画像となっている。【選択図】図１
2019005918.tif 000002
【特許請求の範囲】
【請求項１】
透過光によって対象画像を観察可能な透過型印画物であって、
透明基材の一方の面に、対象画像が形成され、
前記透明基材の他方の面に、前記対象画像の画像濃度を向上させるための濃度補強画像が形成され、
前記濃度補強画像は、厚み方向において、前記対象画像の全部ではなく一部と重なり、
前記濃度補強画像と、当該濃度補強画像と厚み方向で重なる位置に対応する前記対象画像とが、同系色の画像であることを特徴とする透過型印画物。
【請求項２】
透過光によって対象画像を観察可能な透過型印画物であって、
対象画像が形成された第１透明基材と、当該対象画像の濃度を向上させるための濃度補強画像が形成された第２透明基材と、が積層されてなり、
前記濃度補強画像は、厚み方向において、前記対象画像の全部ではなく一部と重なり、
前記濃度補強画像と、当該濃度補強画像と厚み方向で重なる位置に対応する前記対象画像とが、同系色の画像であることを特徴とする透過型印画物。
【請求項３】
前記濃度補強画像が、黒色画像であることを特徴とする請求項１又は２に記載の透過型印画物。
【請求項４】
前記透過型印画物を、前記対象画像側から平面視したときに、前記濃度補強画像は、前記対象画像の外縁から突出していないことを特徴とする請求項１乃至３の何れか１項に記載の透過型印画物。
【請求項５】
前記濃度補強画像の外縁にぼかし処理が施されていることを特徴とする請求項１乃至４の何れか１項に記載の透過型印画物。
【請求項６】
前記対象画像が、水性インクジェット方式により形成された画像であることを特徴とする請求項１乃至５の何れか１項に記載の透過型印画物。
【発明の詳細な説明】
【技術分野】
【０００１】
本発明は、透過型印画物に関する。
【背景技術】
【０００２】
印画物（印刷物と称される場合もある）の表示形態の一つとして、透明基材上に、観察対象である対象画像が形成された印画物に対し、透過光を照射する照射装置により、当該印画物の背面側から、印画物の観察側に向かって透過光を照射することで、印画物の画像（以下、この画像を対象画像という）を観察可能とした透過光方式（バックライト方式と称される場合もある）が知られている。このような透過光方式は、ＬＥＤ看板等の表示のほか、近時、美術品（例えば、対象画像を絵画等とする美術品）の表示にも適用されつつある。特許文献１では、バックライト方式による展示に好適なシートが提案されている。
【０００３】
ところで、透過光方式による対象画像の観察時において、観察者に観察される対象画像の画像濃度は、反射光方式によって観察される対象画像の画像濃度よりも、その画像濃度が低く観察されてしまう傾向にある。換言すれば、透過光による対象画像の観察時には、実際の対象画像の画像濃度よりも、その画像濃度が低く観察されてしまう傾向にある。これは、観察される対象画像の画像濃度は、当該対象画像の膜厚に比例し、反射光によって対象画像を観察する場合には、入射時、及び反射時の２回、光が対象画像を通過するのに対し、透過光によって対象画像を観察する場合には、対象画像を通過する光の回数が１回となり、見掛け上、対象画像の膜厚が薄くなってしまうことによる。なお、透過光方式による対象画像の観察時において、対象画像の画像濃度が、実際の対象画像の画像濃度よりも低く観察されてしまった場合には、意匠性の低下などを引き起こす。
【先行技術文献】
【特許文献】
【０００４】
【特許文献１】特開平１０−２１７６０２号公報
【発明の概要】
【発明が解決しようとする課題】
【０００５】
本発明はこのような状況に鑑みてなされたものであり、透過光方式による対象画像の観察時において、対象画像の画像濃度が、実際の対象画像の濃度よりも低く観察されてしまうことを抑制することができる印画物を提供することを主たる課題とする。
【課題を解決するための手段】
【０００６】
上記課題を解決するための本開示の実施の形態に係る透過型印画物は、透過光によって対象画像を観察可能な透過型印画物であって、透明基材の一方の面に、対象画像が形成され、前記透明基材の他方の面に、前記対象画像の画像濃度を向上させるための濃度補強画像が形成され、前記濃度補強画像は、厚み方向において、前記対象画像の全部ではなく一部と重なり、前記濃度補強画像と、当該濃度補強画像と厚み方向で重なる位置に対応する前記対象画像とが、同系色の画像であることを特徴とする。
【０００７】
上記課題を解決するための本開示の実施の形態に係る透過型印画物は、透過光によって対象画像を観察可能な透過型印画物であって、対象画像が形成された第１透明基材と、当該対象画像の濃度を向上させるための濃度補強画像が形成された第２透明基材と、が積層されてなり、前記濃度補強画像は、厚み方向において、前記対象画像の全部ではなく一部と重なり、前記濃度補強画像と、当該濃度補強画像と厚み方向で重なる位置に対応する前記対象画像とが、同系色の画像であることを特徴とする。
【０００８】
また、前記濃度補強画像が、黒色画像であってもよい。
【０００９】
また、前記透過型印画物を、前記対象画像側から平面視したときに、前記濃度補強画像は、前記対象画像の外縁から突出しないように構成されていてもよい。また、前記濃度補強画像の外縁にぼかし処理が施されていてもよい。
【００１０】
また、前記対象画像が、水性インクジェット方式により形成された画像であってもよい。
【発明の効果】
【００１１】
本開示の実施の形態に係る透過型印画物によれば、透過光方式による観察により、対象画像の画像濃度が、実際の対象画像の濃度よりも低く観察されてしまうことを抑制することができる。
【図面の簡単な説明】
【００１２】
【図１】（Ａ）は本開示の実施の形態に係る透過型印画物の一例を示す概略断面図であり、（Ｂ）は本開示の実施の形態に係る透過型印画物を対象画像側から平面視した平面図である。
【図２】（Ａ）、（Ｂ）はともに本開示の実施の形態に係る透過型印画物を対象画像側から平面視した平面図である。
【図３】本開示の実施の形態に係る透過型印画物を対象画像側から平面視した平面図である。
【図４】本開示の実施の形態に係る透過型印画物の一例を示す概略断面図である。
【図５】本開示の実施の形態に係る透過型印画物の一例を示す概略断面図である。
【図６】本開示の実施の形態に係る透過型印画物の一例を示す概略断面図である。
【図７】本開示の実施の形態に係る透過型印画物の一例を示す概略断面図である。
【図８】透過型印画物の形成方法の一例を示すフローチャートである。
【図９】対象画像のみからなる印画物を反射光で観察したときの平面図である。
【図１０】対象画像のみからなる印画物を透過光で観察したときの平面図である。
【図１１】濃度補強画像の平面図である。
【図１２】本開示の実施の形態に係る透過型印画物を透過光で観察したときの平面図である。
【図１３】（ａ）は縮小処理が施された濃度補強画像を有する印画物の正面図であり、（ｂ）は、図１０に示す印画物と、図１３（ａ）に示す印画物とを重ね合せた本開示の実施の形態に係る透過型印画物を透過光で観察したときの平面図である。
【図１４】（ａ）はぼかし処理が施された濃度補強画像を有する印画物の正面図であり、（ｂ）は、図１０に示す印画物と、図１４（ａ）に示す印画物とを重ね合せた本開示の実施の形態に係る透過型印画物を透過光で観察したときの平面図である。
【発明を実施するための形態】
【００１３】
＜＜一実施形態の透過型印画物＞＞
以下、本開示の実施の形態に係る透過型印画物１００の一実施形態（以下、一実施形態の透過型印画物と言う）について図面を参照して説明する。図１（Ａ）に示すように、一実施形態の透過型印画物１００は、透明基材１０の一方の面（図示する形態では透明基材の上面）に、対象画像２０が形成され、透明基材１０の他方の面（図示する形態では透明基材の下面）に、対象画像２０を構成する一部の画像の画像濃度を向上させるための濃度補強画像３０が形成されている。図１（Ａ）は、一実施形態の透過型印画物１００の一例を示す概略断面図である。
【００１４】
そして、一実施形態の透過型印画物１００は、濃度補強画像３０の少なくとも一部が、厚み方向（図示する形態では上下方向）において、対象画像２０の全部ではなく一部と重なっており、濃度補強画像３０と、当該濃度補強画像３０と厚み方向で重なる位置に対応する対象画像２０とが、同系色の画像であることを特徴としている。
【００１５】
以下、一実施形態の透過型印画物１００の各構成について具体的に説明する。
【００１６】
（透明基材）
透過型印画物１００を構成する透明基材１０は、透過光を透過するものであればよく、これ以外の条件について特に限定はない。なお、本願明細書で言う「透明」とは、無色透明のみならず、半透明、有色透明も含まれる。透明基材としては、例えば、例えば、トリアセチルセルロース（ＴＡＣ）、ポリエステル（ポリエチレンテレフタレート（ＰＥＴ）、ポリエチレンナフタレート等）、ジアセチルセルロース、アセテートブチレートセルロース、ポリエーテルサルホン、アクリル系樹脂（ポリメチルアクリレート、ポリメチルメタクリレート、ポリアクリレート、ポリメタクリレート等）、ポリウレタン系樹脂、ポリカーボネート、ポリスルホン、ポリエーテル、ポリアミド、ポリイミド、ポリプロピレン、ポリメチルペンテン、ポリ塩化ビニル、ポリビニルアセタール、ポリエーテルケトン、（メタ）アクリロニトリル等の各種樹脂からなるフィルム等を挙げることができる。また、紙基材や、ガラス基材等を用いることもできる。
【００１７】
また、透明基材１０の表面には、対象画像２０、或いは、濃度補強画像３０の定着性等を向上させるための表面処理が施されていてもよい。表面処理の一例としては、コロナ放電処理、火炎処理、オゾン処理、紫外線処理、放射線処理、粗面化処理、化学薬品処理、プラズマ処理、グラフト化処理等を挙げることができる。また、透明基材１０の表面に、染料等の受容性を有する層を設けてもよい。この場合、染料等の受容性を有する層は、透明基材１０に含まれるものとする。つまりは、透明基材１０として、２種以上の基材（フィルム、或いは層）を積層したものを用いることもできる。
【００１８】
透明基材１０の透過率について特に限定はなく、透過光を透過することができるとの条件を満たすものであればよい。一例としての透明基材１０は、波長５５０ｎｍの透過率が５０％以上となっている。なお、波長５５０ｎｍの透過率が５０％未満の透明基材１０を用い、一実施形態の透過型印画物を透過光で観察したときの対象画像２０の意匠性等を向上させることもできる。透明基材１０の透過率の測定は、例えば、（株）島津製作所製の分光光度計（ＭＰＣ−３１００）を用いて測定することができる。
【００１９】
透明基材１０の厚みについて特に限定はないが、１００μｍ以上５００μｍ以下の範囲が好ましい。
【００２０】
（対象画像）
図１に示すように、透明基材１０の一方の面上には、対象画像２０が形成されている。対象画像２０は、当該対象画像２０を透過する透過光によって、観察可能な画像である。対象画像２０は、図１（Ｂ）に示すように、一つの独立する画像（画像Ａ）であってもよく、図２（Ａ）に示すように、所定の間隔をあけて配された複数の画像（画像Ａ、画像Ｂ、画像Ｃ）から構成されていてもよく、図２（Ｂ）に示すように、複数の画像（画像Ａ、画像Ｂ、画像Ｃ）の何れか、或いは全部が重なるように構成されたものであってもよい。図３に示す形態では、対象画像２０は、色相Ａからなる色相Ａ画像、色相Ｂからなる色相Ｂ画像、色相Ｃからなる色相Ｃ画像、色相Ａ画像と色相Ｂ画像との重ね画像である色相Ａ＋Ｂ画像、色相Ａ画像と色相Ｃ画像との重ね画像である色相Ａ＋Ｃ画像、色相Ｂ画像と色相Ｃ画像との重ね画像である色相Ｂ＋Ｃ画像、色相Ａ画像と色相Ｂ画像と色相Ｃ画像との重ね画像である色相Ａ＋Ｂ＋Ｃ画像から構成されている。対象画像２０については、透過光の透過によって観察可能との条件を満たせばよく、図示する形態に限定されるものではない。なお、図１（Ｂ）、図２（Ａ）、（Ｂ）、図３は、一実施形態の透過型印画物１００を、対象画像２０側から平面視したときの平面図であり、透明基材１０の他方の面上に形成されている濃度補強画像３０は省略している。
【００２１】
また、対象画像２０を構成する一つの画像、或いは、複数の画像は、それぞれ、単一の色からなる画像であってもよく、複数の色からなる画像であってもよい。また、複数の色を重ねた重ね画像であってもよい。
【００２２】
対象画像２０の形成方法について特に限定はなく、従来公知の画像形成方法を適宜選択して用いることができる。画像形成方法としては、例えば、インクジェット印刷法、グラビア印刷法、スクリーン印刷法、グラビア版を用いたリバースコーティング法、昇華型熱転写シートや、熱溶融型熱転写シートを用いた印刷法等を挙げることができる。また、これ以外の画像形成方法を用いることもできる。これらの中でも、インクジェット用のインクをピエゾ駆動で発生させた圧力波によってノズルから噴出し、透明基材１０に付着させる印刷方式であるインクジェット方式、特には、水性インクジェット方式は、簡便に、フルカラー画像を形成できるといった利点を有する点で好適な画像形成方法である。
【００２３】
（濃度補強画像）
図１に示すように、透明基材１０の他方の面上には、濃度補強画像３０が形成されている。濃度補強画像３０は、透過光によって対象画像２０を観察する時に、対象画像の画像濃度が低く観察されてしまうことを補う役割を果たす。そして、この役割を果たすべく、一実施形態の透過型印画物１００では、透明基材１０の他方の面上に形成されている濃度補強画像３０は、当該透過型印画物１００の厚み方向において（図示する形態では上下方向において）、対象画像２０の全部ではなく一部と重なっており、さらに、濃度補強画像３０と、当該濃度補強画像３０と厚み方向で重なっている対象画像２０が、同系色の画像となっている。この場合において、対象画像２０のうち、濃度補強画像３０と厚み方向で重なっていない部分は、濃度補強画像３０と同系色であってもよく、濃度補強画像と同系色でなくともよい。
【００２４】
この特徴を有する一実施形態の透過型印画物１００によれば、透過光方式により対象画像２０を観察したときに、観察される対象画像の画像濃度が、実際の濃度よりも低く観察されてしまうことを、濃度補強画像３０によって抑制することができる。また、対象画像２０と濃度補強画像３０は、それぞれ、直接的に接しないようにして形成されていることから、対象画像２０と濃度補強画像３０とが直接的に接することによる、対象画像の滲みや、混色等を抑制することができる。したがって、一実施形態の透過型印画物１００は、滲みや、混色等が生じやすい水性インクジェット方式により、対象画像２０を形成した形態とする場合に特に好適である。
【００２５】
なお、本願明細書で言うの「同系色」とは、色相、明度、彩度、及び光沢度の全て、或いはいずれかにおいて同一または類似である色のことを意味する。好ましい形態の透過型印画物１００は、濃度補強画像３０と、当該濃度補強画像３０と厚み方向で重なる対象画像の濃度との色差（ΔＥ*ａｂ）が６．５以下であり、より好ましくは、３．２以下であり、特に好ましくは、１．６以下となっている。色差（ΔＥ*ａｂ）は、分光測定器（グレタグマクベス社製、商品名：ｓｐｅｃｔｒｏｌｉｎｏ）を使用することにより測色し、国際証明委員会のＬ*ａ*ｂ*表色系における数値で定義するものである。なお、ΔＥ*ａｂ＝（（ΔＬ*）2＋（Δａ*）2＋（Δｂ*）2）1/2で表される値であり、値が大きいほど目視したときの色の違いが大きい。なお、（ΔＬ*）、（Δａ*）、（Δｂ*）は、濃度補強画像３０と、当該濃度補強画像と厚み方向で重なる対象画像とのＬ*、ａ*およびｂ*の値の差である。
【００２６】
濃度補強画像３０の形成位置について特に限定はなく、透過光による観察時において、濃度が低く観察されてしまう対象画像２０と重なる位置に設ければよい。
【００２７】
また、一実施形態の透過型印画物１００が、対象画像２０として黒色画像、或いは黒色に近似する黒色近似画像（例えば、グレー画像）を含む場合には、対象画像２０に含まれる、当該黒色画像、或いは黒色近似画像と、厚み方向で重なる位置に、当該黒色画像、或いは黒色近似画像と同系色の濃度補強画像３０を形成することが好ましい。これは、透過光による観察時において、黒色画像や、黒色近似画像は、他の色の画像と比較して、その濃度が、実際の画像濃度よりも低く観察されてしまう傾向にあることによる。
【００２８】
また、図２（Ａ）、（Ｂ）に示すような形態において、濃度補強画像３０は、対象画像２０を構成する画像Ａ、画像Ｂ、画像Ｃの何れかの１つの画像と厚み方向で重なっていてもよく、全ての画像（画像Ａ、画像Ｂ、画像Ｃ）と厚み方向で重なっていてもよい。後者の場合には、それぞれの濃度補強画像３０は、各画像と同系色の画像となっている。例えば、画像Ａが黒色画像、画像Ｂが青色画像、画像Ｃが赤色画像の場合、画像Ａと重なる濃度補強画像は、黒色画像となっており、画像Ｂと重なる濃度補強画像は、青色画像となっており、画像Ｃと重なる濃度補強画像は、赤色画像となっている。また、後者の場合には、全ての画像（画像Ａ、画像Ｂ、画像Ｃ）のうちの、少なくとも一つの画像は、厚み方向において、当該画像の全部ではなく一部で、濃度補強画像３０と重なっている。図３に示す形態についても同様であり、例えば、色相Ａ＋Ｂ＋Ｃ画像が、黒色画像である場合には、当該色相Ａ＋Ｂ＋Ｃ画像と厚み方向で重なる少なくとも一部に、黒色の濃度補強画像３０が形成されていればよい。また、これ以外の画像と厚み方向で重なる位置に、濃度補強画像３０を位置させてもよい。
【００２９】
（濃度補強画像のぼかし処理）
好ましい形態の濃度補強画像３０は、当該濃度補強画像３０を平面視したときに、その一部にぼかし処理が施されている。より好ましい形態の濃度補強画像３０は、当該濃度補強画像３０を平面視したときに、その外縁にぼかし処理が施されている。また、濃度補強画像３０の全体にぼかし処理を施してもよい。好ましい形態の濃度補強画像３０とすることで、一実施形態の透過型印画物１００を、対象画像２０側から平面視した時に、厚み方向において、当該対象画像２０の全部ではなく一部と重なる濃度補強画像３０が、対象画像２０の外縁から外方に向かって突出するような場合であっても、透過光によって、当該対象画像２０を観察した際に、対象画像２０の外縁から突出した濃度補強画像３０によって、対象画像の外縁がぼやけて観察されてしまうことを抑制することができる。換言すれば、対象画像２０の外縁から濃度補強画像３０が突出した場合であっても、透過光によって観察したときの、当該突出した部分の濃度補強画像３０の視認性を低くすることができる。なお、本願明細書でいう「ぼかし処理」とは、濃度補強画像に対して濃度勾配を設ける処理を意味する。例えば、濃度補強画像３０の外縁にぼかし処理を施す場合には、濃度補強画像の外縁に位置する領域の濃度を、他の領域の濃度よりも低くすることで、濃度勾配を設けることができる。ぼかし処理を行う領域は、濃度補強画像３０と重ねる対象画像２０の形状や、大きさ等を考慮して決定すればよいが、好ましい一例としては、濃度補強画像の外縁を起点として０．５ｍｍ以上１．５ｍｍ以下の幅、特には１ｍｍ程度の幅をぼかし処理を施した領域とした形態を挙げることができる。
【００３０】
（濃度補強画像の縮小処理）
別の好ましい形態の濃度補強画像３０は、一実施形態の透過型印画物１００を、対象画像２０側から平面視したときに、対象画像２０の外縁から突出していないように形成されている。別の好ましい形態の濃度補強画像３０によれば、対象画像２０と濃度補強画像３０とを重ね合せるときに、意図しない重ねずれ等が生じた場合であっても、対象画像２０の外縁がぼやけて観察されてしまうことを抑制することができる。例えば、濃度補強画像３０に縮小処理を施し、濃度補強画像３０の形状を、濃度の向上を所望する対象画像２０の形状よりも小さくすることで、対象画像２０の外縁から、濃度補強画像３０が突出しない形態を容易に実現することができる。
【００３１】
濃度補強画像の形状や、大きさについて特に限定はなく、対象画像２０において濃度の向上を目的とする形状や、大きさを考慮して適宜設定すればよい。なお、対象画像２０と、濃度補強画像３０とを重ね合せるときの位置精度等を考慮すると、濃度補強画像３０の大きさは、５ｍｍ角以上であることが好ましい。
【００３２】
濃度補強画像３０の形成方法について特に限定はないが、濃度補強画像３０は、対象画像の画像濃度を向上させるための画像であり、その画像の鮮明性等について、特に考慮を要しない。したがって、濃度補強画像３０は、所謂べた画像などの形成に用いられる、従来公知の画像形成方法、例えば、グラビア印刷法、スクリーン印刷法、グラビア版を用いたリバースコーティング法等を用いて形成することができる。
【００３３】
なお、一実施形態の透過型印画物１００を透過光によって観察する時の透過光の照射方向について特に限定はなく、透明基材１０の一方の面側から、透明基材１０の他方の面側に向かって、つまりは、対象画像２０側から、濃度補強画像３０側に向かって照射してもよく、透明基材１０の他方の面側から、透明基材１０の一方の面側に向かって、つまりは、濃度補強画像３０側から対象画像２０側に向かって照射してもよい。このことは、後述する他の実施形態の透過型印画物１００についても同様である。
【００３４】
透過光を照射するための照射装置については従来公知の照射装置を適宜選択して用いることができる。例えば、ＬＥＤ照明装置、蛍光照明装置、有機エレクトロルミネッセンス（有機ＥＬ）照明装置などを用いることができる。また、これ以外の照射装置を用いることもできる。
【００３５】
（他の実施形態の透過型印画物）
次に、図４〜図７を参照して、本開示の他の実施の形態に係る透過型印画物１００（以下、他の実施形態の透過型印画物という）について説明する。なお、図４〜図７は、他の実施形態の透過型印画物１００の一例を示す概略断面図である。
【００３６】
図４〜図７に示すように、他の実施形態の透過型印画物１００は、透過光によって対象画像２０を観察可能な透過型印画物１００であって、対象画像２０が形成された第１透明基材１０Ａと、当該対象画像２０の濃度を向上させるための濃度補強画像３０が形成された第２透明基材１０Ｂとが積層されてなる構成を呈している。そして、他の実施形態の透過型印画物１００は、濃度補強画像３０は、厚み方向において、対象画像２０の全部ではなく一部と重なっており、濃度補強画像３０と、当該濃度補強画像３０と厚み方向で重なる位置に対応する対象画像２０とが、同系色の画像であることを特徴としている。
【００３７】
つまり、上記で説明した一実施形態の透過型印画物１００が、１つの透明基材１０を用い、当該透明基材１０の一方の面上に対象画像２０が形成され、透明基材１０の他方の面上に、厚み方向において対象画像２０の全部ではなく一部と重なるように濃度補強画像３０が形成されているのに対し、他の実施形態の透過型印画物は、少なくとも２つの透明基材（図示する形態では、第１透明基材１０Ａ、第２透明基材１０Ｂ）を用い、対象画像２０が形成された第１透明基材１０Ａと、濃度補強画像３０が形成された第２透明基材１０Ｂとが積層されている点においてのみ、一実施形態の透過型印画物１００と、他の実施形態の透過型印画物１００とは相違し、それ以外の点では一致している。したがって、この相違点以外については、上記一実施形態の透過型印画物で説明した形態を適宜選択すればよい。
【００３８】
この特徴を有する他の実施形態の透過型印画物１００によれば、上記で説明した一実施形態の透過型印画物１００と同じ理由により、透過光方式により対象画像２０を観察したときに、観察される対象画像の画像濃度が、実際の濃度よりも低く観察されてしまうことを、濃度補強画像３０によって抑制することができる。また、対象画像２０と濃度補強画像３０は、それぞれ、直接的に接しないようにして形成されていることから、対象画像２０と濃度補強画像３０とが直接的に接することによる、対象画像の滲みや、混色等を抑制することができる。
【００３９】
他の実施形態の透過型印画物１００は、対象画像２０が形成された第１透明基材１０Ａと、濃度補強画像３０が形成された第２透明基材１０Ｂとが積層されてなり、濃度補強画像３０が、厚み方向において、対象画像２０の全部ではなく一部と重なっており、濃度補強画像３０と、当該濃度補強画像３０と厚み方向で重なる位置に対応する対象画像２０とが、同系色の画像である、との関係を満たせば、これ以外の条件について特に限定はない。例えば、他の実施形態の透過型印画物１００は、図４に示すように、対象画像２０が形成されてなる第１透明基材１０Ａと、濃度補強画像３０が形成されてなる第２透明基材１０Ｂとが、対象画像２０、第１透明基材１０Ａ、第２透明基材１０Ｂ、濃度補強画像３０がこの順で積層されてなる構成を呈してもよい。また、図５に示すように、対象画像２０、第１透明基材１０Ａ、濃度補強画像３０、第２透明基材１０Ｂがこの順で積層されてなる構成を呈していてもよい。また、図６に示すように、第１透明基材１０Ａ、対象画像２０、濃度補強画像３０、第２透明基材１０Ｂがこの順で積層されてなる構成を呈していてもよい。また、図７に示すように、第１透明基材１０Ａ、対象画像２０、第２透明基材１０Ｂ、濃度補強画像３０がこの順で積層されてなる構成を呈していてもよい。
【００４０】
対象画像２０が形成されてなる第１透明基材１０Ａと、濃度補強画像３０が形成されてなる第２透明基材１０Ｂとの積層方法についても特に限定はなく、従来公知の接着方法等を用いた貼り合わせによって積層してもよく、フレーム（枠体）等に嵌め込むようにして、積層することもできる。また、これ以外の方法によって積層してもよい。
【００４１】
対象画像２０が形成されてなる第１透明基材１０Ａと、濃度補強画像３０が形成されてなる第２透明基材１０Ｂとは、直接的に接するようにして積層されていてもよく、所定の間隔をあけるようにして積層されていてもよい。なお、対象画像２０が形成されてなる第１透明基材１０Ａと、濃度補強画像３０が形成されてなる第２透明基材１０Ｂとが、直接的に接するようにした積層は、観察角度によって、対象画像２０に画像ぼけが生ずることを抑制することができる点で好ましい。
【００４２】
また、他の実施形態の透過型印画物１００は、第１透明基材１０Ａ、第２透明基材１０Ｂとは異なる、他の透明基材を含んでいてもよい。例えば、図６に示す形態の透過型印画物において、対象画像２０と、濃度補強画像３０との間に、他の透明基材を有していてもよい。
【００４３】
第１透明基材１０Ａ、第２透明基材１０Ｂとしては、上記一実施形態の透過型印画物１００で説明した透明基材１０を適宜選択して用いることができる。第１透明基材１０Ａ、第２透明基材１０Ｂは、同一の透明基材であってもよく、異なる透明基材であってもよい。第１透明基材１０Ａ、第２透明基材１０Ｂの厚みについても同様であり、透過光を照射する照射装置の照度等に応じて適宜設定することができる。一例としての第１透明基材１０Ａの厚みは、１００μｍ以上５００μｍ以下の範囲であり、第２透明基材１０Ｂの厚みは、１００μｍ以上５００μｍ以下の範囲である。
【００４４】
（透過型印画物の形成方法）
次に、図８を参照して、本開示の実施の形態に係る透過型印画物１００の形成方法（以下、一実施形態の透過型印画物の形成方法という）について説明する。なお、図８は、一実施形態の透過型印画物の形成方法の一例を示すフローチャートである。
【００４５】
一実施形態の透過型印画物の形成方法では、はじめに、対象画像を印刷するための対象画像用画像データを作成する（ステップＳ１０）、次いで、作成された対象画像用画像データに基づいて、濃度の補強を行う領域を抽出し、当該抽出された領域に基づいて、濃度補強画像用仮画像データを作成する（ステップＳ２０）。具体的には、対象画像用画像データに基づいて印刷される対象画像のうち、濃度の補強を所望する領域を抽出し、当該抽出された領域と重ね合せる濃度補強画像を印刷するための濃度補強画像用仮画像データを準備する。対象画像用画像データ、及び濃度補強画像用仮画像データには、印刷される画像の形状、印刷位置、印刷される画像の色相などのデータが含まれている。
【００４６】
次いで、準備された濃度補強画像用仮画像データに対し、エッジ処理（加工処理）を行うか否かを決定する（ステップＳ３０）。このとき、エッジ処理を行わないと判別した場合には、当該濃度補強画像用仮画像データを、濃度補強画像用画像データとして決定する（ステップＳ７０）。一方で、エッジ処理を行うことを決定した場合には、次いで、エッジ処理が、ぼかし処理であるかを判別し（ステップＳ４０）、ぼかし処理であると判別した場合には、濃度補強画像用仮画像データにぼかし処理を施し、ぼかし処理後の濃度補強画像用仮画像データを、濃度補強画像用画像データとして決定する（ステップＳ５０）。一方で、エッジ処理がぼかし処理でないと判別した場合には、濃度補強画像用仮画像データに縮小処理を施し、縮小処理後の濃度補強画像用仮画像データを、濃度補強画像用画像データとして決定する（ステップＳ６０）。
【００４７】
なお、濃度補強画像用仮画像データに対し、ぼかし処理、縮小処理の双方の処理を行うこともできる。
【００４８】
次いで、対象画像用画像データに基づいて、透明基材の一方の面に、対象画像を印刷すし、濃度補強画像用画像データに基づいて、透明基材の他方の面に、濃度補強画像を印刷する（ステップＳ８０）ことで、透明基材の一方の面上に対象画像が形成され、透明基材の他方の面に、濃度補強画像が形成され、且つ対象画像の全部ではなく一部と、濃度補強画像とが重なる透過型印画物を得る。
【００４９】
また、ステップＳ８０の処理にかえて、対象画像が形成された透明基材とは別の透明基材を用い、当該別の透明基材に濃度補強画像を形成し、対象画像が形成された透明基材と、濃度補強画像が形成された別の透明基材とを重ねあわせて、透過型印画物を得ることもできる。
【００５０】
次に、図９〜図１４を参照して、本開示の実施の形態に係る透過型印画物の優位性について説明する。図９、図１０は、ともに透明基材の一方の面に、対象画像のみが形成されてなる印画物であり、図９は、当該印画物を反射光で観察したときの正面図であり、図１０は、当該印画物を透過光で観察したときの正面図である。図９、図１０からも明らかなように、同じ対象画像を反射光と、透過光で観察した場合には、透過光で観察した方が、対象画像の濃度が低く観察される傾向にある（図中の矩形部分の画像の濃度）。なお、図９、図１０では、矩形部分の画像を、濃度の向上を所望する領域の画像としている。つまり、濃度補強画像と重なる対象画像部分としている。
【００５１】
図１１は、別の透明基材に濃度補強画像が形成されてなる印画物の正面図であり、図１２は、図１０に示す対象画像を有する印画物と、図１１に示す濃度補強画像を有する印画物とを重ね合せた印画物（積層体）を、透過光で観察したときの正面図である。図１２に示すように、対象画像と濃度補強画像とを重ね合せることで、透過光による観察時においても、濃度の低下を抑制することができた。具体的には、図９に示す反射光による観察と同程度の濃度での観察が可能となった。なお、図示する形態において、図１０に示す形態の印画物を透過光で観察したときの対象画像（濃度補強画像と重ね合せる前の画像）の透過濃度は、０．７であったのに対し、図１２に示す形態の印画物（濃度補強画像と重ね合せた後の画像）を透過光で観察したときの透過濃度は、１．５と確認できた。
【００５２】
図１３（ａ）は、縮小処理が施された濃度補強画像を有する印画物であり、図１３（ｂ）は、図１０に示す対象画像を有する印画物と、図１３（ａ）に示す縮小処理が施された濃度補強画像を有する印画物とを重ね合せた印画物を、透過光で観察したときの正面図である。図１４（ａ）は、ぼかし処理が施された濃度補強画像を有する印画物であり、図１４（ｂ）は、図１０に示す対象画像を有する印画物と、図１４（ａ）に示すぼかし処理が施された濃度補強画像を有する印画物とを重ね合せた印画物を、透過光で観察したときの正面図である。これらの形態の印画物によれば、対象画像を有する印画物と、濃度補強画像を有する印画物とを重ね合せたときに、位置合わせずれ（見当ずれ）等が生じた場合であっても、その影響を小さくすることが可能となる。
【符号の説明】
【００５３】
１００  透過型印画物
１０、１０Ａ、１０Ｂ  透明基材
２０  対象画像
３０  濃度補強画像
【図１】
2019005918.tif 000003
【図２】
2019005918.tif 000004
【図３】
2019005918.tif 000005
【図４】
2019005918.tif 000006
【図５】
2019005918.tif 000007
【図６】
2019005918.tif 000008
【図７】
2019005918.tif 000009
【図８】
2019005918.tif 000010
【図９】
2019005918.tif 000011
【図１０】
2019005918.tif 000012
【図１１】
2019005918.tif 000013
【図１２】
2019005918.tif 000014
【図１３】
2019005918.tif 000015
【図１４】
2019005918.tif 000016